【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
カメラと装着可能なアクセサリーであって、
前記アクセサリーが前記カメラで制御可能な状態であることを前記カメラが検出するための検出レベルを、前記カメラに対して提供する検出レベル提供端子と、
前記アクセサリーに関する情報を含むデータ信号を前記カメラに対して出力するデータ信号出力端子と、
前記検出レベルと前記データ信号に対する第１の基準電位端子と、を含む複数の端子を備え、
前記複数の端子において、前記検出レベル提供端子、前記データ信号出力端子、及び前記第１の基準電位端子が、この順に並んで配置される
ことを特徴とするアクセサリー。
【請求項２】
前記アクセサリーが前記カメラに装着されている状態である場合に、前記検出レベルのレベルは、前記データ信号の基準電位が示すレベルと同じである
ことを特徴とする請求項１に記載のアクセサリー。
【請求項３】
前記複数の端子は、前記データ信号に同期するクロック信号を前記カメラに出力するクロック信号出力端子をさらに含み、
前記複数の端子において、前記検出レベル提供端子、前記データ信号出力端子、前記第１の基準電位端子、及び前記クロック信号出力端子が、この順に並んで配置される
ことを特徴とする請求項２に記載のアクセサリー。
【請求項４】
前記複数の端子は、前記検出レベルと前記データ信号と前記クロック信号に対する第２の基準電位端子をさらに含み、
前記複数の端子において、前記検出レベル提供端子、前記データ信号出力端子、前記第１の基準電位端子、前記クロック信号出力端子、及び前記第２の基準電位端子が、この順に並んで配置される
ことを特徴とする請求項３に記載のアクセサリー。
【請求項５】
前記複数の端子は、前記データ信号の通信を前記カメラとの間で行うデータ信号通信の開始を制御する通信制御信号が前記カメラから入力される通信制御信号入力端子をさらに含み、  
前記複数の端子において、前記通信制御信号入力端子、前記検出レベル提供端子、前記データ信号出力端子、及び前記第１の基準電位端子が、この順に並んで配置される
ことを特徴とする請求項２から請求項４のいずれか一項に記載のアクセサリー。
【請求項６】
前記複数の端子は、前記カメラからの電力を受け取る電源端子と、前記電源端子と対になる接地端子と、をさらに含み、
前記複数の端子において、前記電源端子、前記通信制御信号入力端子、前記検出レベル提供端子、前記データ信号出力端子、前記第１の基準電位端子、前記クロック信号出力端子、前記第２の基準電位端子、及び前記接地端子が、この順に並んで配置される
ことを特徴とする請求項５に記載のアクセサリー。
【請求項７】
前記電源端子は、前記複数の端子の配列方向において順に並んで独立に配置された２つの端子である
ことを特徴とする請求項６に記載のアクセサリー。
【請求項８】
前記接地端子は、前記複数の端子の配列方向において順に並んで独立に配置された２つの端子である
ことを特徴とする請求項６または７に記載のアクセサリー。
【請求項９】
前記複数の端子は、発光部を制御する発光制御信号が前記カメラから入力される発光制御信号入力端子をさらに含み、
前記複数の端子において、前記電源端子、前記通信制御信号入力端子、前記発光制御信号入力端子、前記検出レベル提供端子、前記データ信号出力端子、前記第１の基準電位端子、前記クロック信号出力端子、前記第２の基準電位端子、及び前記接地端子が、この順に並んで配置される
ことを特徴とする請求項６から請求項８のいずれか一項に記載のアクセサリー。
【請求項１０】
前記複数の端子が含む端子の数は、１２個以下である
ことを特徴とする請求項１から請求項９のいずれか一項に記載のアクセサリー。
【請求項１１】
前記カメラからの前記アクセサリーの取り外しに応じて前記複数の端子の配列方向に対して所定の方向に移動する可動部材を含み、前記検出レベルの状態を切替える第１スイッチ部をさらに備え、
前記可動部材が前記所定の方向に移動することによって、前記検出レベルの状態が切替わる
ことを特徴とする請求項１０に記載のアクセサリー。
【請求項１２】
前記可動部材は、前記アクセサリーが前記カメラから取り外される際に前記カメラから受ける力によって前記所定の方向に移動する
ことを特徴とする請求項１１に記載のアクセサリー。
【請求項１３】
前記可動部材は、前記アクセサリーが前記カメラに装着されている場合に、前記カメラに係止されることによって、前記カメラに対する前記アクセサリーの移動を規制する
ことを特徴とする請求項１１又は請求項１２に記載のアクセサリー。
【請求項１４】
前記可動部材を前記所定の方向に移動させるための操作を受け付ける操作部を備える
ことを特徴とする請求項１１から請求項１３のいずれか一項に記載のアクセサリー。
【請求項１５】
前記検出レベルの状態を切替える第２スイッチ部を備え、
前記第２スイッチ部は、前記検出レベル提供端子に接続された信号線に対して前記第１スイッチ部と直列に接続されている
ことを特徴とする請求項１１から請求項１４のいずれか一項に記載のアクセサリー。
【請求項１６】
カメラと通信可能なアクセサリーであって、
前記アクセサリーが前記カメラで制御可能な状態であることを前記カメラが検出するための検出レベルを、前記カメラに対して提供する検出レベル提供端子を含み、
前記検出レベル提供端子の隣には、電気的なノイズによる誤動作を生じさせる可能性のある信号の通信を行うための端子を配置することを特徴とするアクセサリー。
【請求項１７】
光を発する発光部を備え、カメラに装着可能なアクセサリーであって、
前記アクセサリーが前記カメラで制御可能な状態であることを前記カメラが検出するための検出レベルを、前記カメラに提供する検出レベル提供端子と、
前記発光部の発光状態を制御する発光制御信号が前記カメラから入力される発光制御信号入力端子と、
前記アクセサリーに関する情報を含むデータ信号の通信を前記カメラとの間で行うデータ信号通信の開始を制御する通信制御信号が前記カメラから入力される通信制御信号入力端子と、を含む複数の端子を備え、
前記複数の端子において、前記通信制御信号入力端子、前記発光制御信号入力端子、及び前記検出レベル提供端子が、この順に並んで配置される
ことを特徴とするアクセサリー。
【請求項１８】
前記複数の端子は、ぞれぞれ、線形状を備えており、且つ前記線形状の端部において前記カメラの端子と接続される
ことを特徴とする請求項１から請求項１７のいずれか一項に記載のアクセサリー。
【請求項１９】
アクセサリーと通信可能なカメラであって、
前記アクセサリーが前記カメラで制御可能な状態であることを前記カメラが検出するための検出レベルが、前記アクセサリーから提供される検出レベル提供端子と、
前記アクセサリーに関する情報を含むデータ信号が前記アクセサリーから入力されるデータ信号入力端子と、
前記検出レベルと前記データ信号に対する第１基準電位端子と、を含む複数の端子を備え、
前記複数の端子において、前記検出レベル提供端子、前記データ信号入力端子、及び前記第１の基準電位端子が、この順に並んで配置される
ことを特徴とするカメラ。
【請求項２０】
カメラと通信可能なアクセサリーが着脱されるアクセサリーシューであって、
前記アクセサリーが前記カメラで制御可能な状態であることを前記カメラが検出するための検出レベルが前記アクセサリーから提供される検出レベル提供端子と、
前記アクセサリーに関する情報を含むデータ信号が前記アクセサリーから入力されるデータ信号入力端子と、
前記検出レベルと前記データ信号に対する第１の基準電位端子と、を含む複数の端子を備え、
前記複数の端子において、前記検出レベル提供端子、前記データ信号入力端子、及び前記第１の基準電位端子が、この順に並んで配置される
ことを特徴とするアクセサリーシュー。
【請求項２１】
アクセサリーと通信可能なカメラに着脱されるコネクターであって、
前記アクセサリーが前記カメラで制御可能な状態であることを前記カメラが検出するための検出レベルを、前記カメラに提供する検出レベル提供端子と、
前記アクセサリーに関する情報を含むデータ信号を前記カメラに対して出力するデータ信号出力端子と、
前記検出レベルと前記データ信号に対する第１基準電位端子と、を含む複数の端子を備え、
前記複数の端子において、前記検出レベル提供端子、前記データ信号出力端子、及び前記第１の基準電位端子が、この順に並んで配置される
ことを特徴とするコネクター。
【手続補正２】
【補正対象書類名】明細書
【補正対象項目名】０００５
【補正方法】変更
【補正の内容】
【０００５】
本発明の第１の態様のアクセサリーは、カメラと装着可能なアクセサリーであって、前記アクセサリーが前記カメラで制御可能な状態であることを前記カメラが検出するための検出レベルを、前記カメラに対して提供する検出レベル提供端子と、前記アクセサリーに関する情報を含むデータ信号を前記カメラに対して出力するデータ信号出力端子と、前記検出レベルと前記データ信号に対する第１の基準電位端子と、を含む複数の端子を備え、前記複数の端子において、前記検出レベル提供端子、前記データ信号出力端子、及び前記第１の基準電位端子が、この順に並んで配置されることを特徴とする。
【手続補正３】
【補正対象書類名】明細書
【補正対象項目名】０００６
【補正方法】変更
【補正の内容】
【０００６】
本発明の第２の態様のアクセサリーは、カメラと通信可能なアクセサリーであって、前記アクセサリーが前記カメラで制御可能な状態であることを前記カメラが検出するための検出レベルを、前記カメラに対して提供する検出レベル提供端子を含み、前記検出レベル提供端子の隣には、電気的なノイズによる誤動作を生じさせる可能性のある信号の通信を行うための端子を配置することを特徴とする。
【手続補正４】
【補正対象書類名】明細書
【補正対象項目名】０００７
【補正方法】変更
【補正の内容】
【０００７】
本発明の第３の態様のアクセサリーは、光を発する発光部を備え、カメラに装着可能なアクセサリーであって、前記アクセサリーが前記カメラで制御可能な状態であることを前記カメラが検出するための検出レベルを、前記カメラに提供する検出レベル提供端子と、前記発光部の発光状態を制御する発光制御信号が前記カメラから入力される発光制御信号入力端子と、前記アクセサリーに関する情報を含むデータ信号の通信を前記カメラとの間で行うデータ信号通信の開始を制御する通信制御信号が前記カメラから入力される通信制御信号入力端子と、を含む複数の端子を備え、前記複数の端子において、前記通信制御信号入力端子、前記発光制御信号入力端子、及び前記検出レベル提供端子が、この順に並んで配置されることを特徴とする。
【手続補正５】
【補正対象書類名】明細書
【補正対象項目名】０００８
【補正方法】変更
【補正の内容】
【０００８】
本発明の第４の態様のカメラは、アクセサリーと通信可能なカメラであって、前記アクセサリーが前記カメラで制御可能な状態であることを前記カメラが検出するための検出レベルが、前記アクセサリーから提供される検出レベル提供端子と、前記アクセサリーに関する情報を含むデータ信号が前記アクセサリーから入力されるデータ信号入力端子と、前記検出レベルと前記データ信号に対する第１基準電位端子と、を含む複数の端子を備え、前記複数の端子において、前記検出レベル提供端子、前記データ信号入力端子、及び前記第１の基準電位端子が、この順に並んで配置されることを特徴とする。
【手続補正６】
【補正対象書類名】明細書
【補正対象項目名】０００９
【補正方法】変更
【補正の内容】
【０００９】
本発明の第５の態様のアクセサリーシューは、カメラと通信可能なアクセサリーが着脱されるアクセサリーシューであって、前記アクセサリーが前記カメラで制御可能な状態であることを前記カメラが検出するための検出レベルが前記アクセサリーから提供される検出レベル提供端子と、前記アクセサリーに関する情報を含むデータ信号が前記アクセサリーから入力されるデータ信号入力端子と、前記検出レベルと前記データ信号に対する第１の基準電位端子と、を含む複数の端子を備え、前記複数の端子において、前記検出レベル提供端子、前記データ信号入力端子、及び前記第１の基準電位端子が、この順に並んで配置されることを特徴とする。
【手続補正７】
【補正対象書類名】明細書
【補正対象項目名】００１０
【補正方法】変更
【補正の内容】
【００１０】
本発明の第６の態様のコネクターは、アクセサリーと通信可能なカメラに着脱されるコネクターであって、前記アクセサリーが前記カメラで制御可能な状態であることを前記カメラが検出するための検出レベルを、前記カメラに提供する検出レベル提供端子と、前記アクセサリーに関する情報を含むデータ信号を前記カメラに対して出力するデータ信号出力端子と、前記検出レベルと前記データ信号に対する第１基準電位端子と、を含む複数の端子を備え、前記複数の端子において、前記検出レベル提供端子、前記データ信号出力端子、及び前記第１の基準電位端子が、この順に並んで配置されることを特徴とする。